(57)【要約】【課題】外気温が低い環境下における車両用前照灯の凍結を効果的に防止することができる。【解決手段】車両の外気温を検知する外気温検知センサと、車両の速度を検知する車速検知センサと、外気温検知センサおよび車速検知センサによる検知結果に基づいて、車両に搭載された空調ユニットを制御する制御部と、を備え、制御部は、外気温検知センサによる検知結果が所定値以下であって、車速検知センサにより車両の停止を検知した場合、コンデンサの放熱に伴って温められた温風を、通路１１３を介してアウターカバー３の外表側へと送風させるように、コンデンサファン１１０の回転方向をコンデンサの放熱に用いられる風を流通させる方向とは逆方向に流すように逆回転させる。【選択図】図３
2018100011.tif 000002
【特許請求の範囲】
【請求項１】
車両の前部に配置され、光源が発する光を車両前方に向かって出射させる車両用前照灯の凍結防止装置であって、
前記車両用前照灯は、
前記光源を収容し、前面が開口されたランプ本体と、
前記ランプ本体の開口を覆うように前記ランプ本体の前面に配置されるアウターカバーと、を含むランプユニットを有しており、
前記車両の外気温を検知する外気温検知手段と、
前記車両の速度を検知する速度検知手段と、
前記外気温検知手段および前記速度検知手段による検知結果に基づいて、前記車両に搭載され熱を発生する熱交換機器を制御する制御手段と、を備え、
前記熱交換機器は、放熱時に用いられる風を送る送風手段を備え、
前記制御手段は、前記外気温検知手段による検知結果が所定値以下であって、前記速度検知手段により前記車両の停止を検知した場合、前記送風手段を放熱時の駆動方向とは逆方向となるように切り換え、熱交換機器の放熱に伴って温められた温風を、前記アウターカバーの外表側へと送風させることを特徴とする車両用前照灯の凍結防止装置。
【請求項２】
前記熱交換機器が、車両空調ユニットのコンデンサであり、前記送風手段が該コンデンサの熱を放出するためのコンデンサファンであり、
前記制御手段は、
前記外気温検知手段による検知結果が所定値以下であって、前記速度検知手段により前記車両の停止を検知した場合、前記コンデンサファンを前記放熱時の駆動方向に対し逆回転させ、前記コンデンサの放熱に伴って温められた温風を、前記アウターカバーの外表側へと送風するよう制御する
ことを特徴とする請求項１に記載の車両用前照灯の凍結防止装置。
【請求項３】
前記熱交換機器が、ラジエータユニットのラジエータであり、前記送風手段が該ラジエータの熱を放出するためのラジエータファンであり、
前記制御手段は、
前記外気温検知手段による検知結果が所定値以下であって、前記速度検知手段により前記車両の停止を検知した場合、前記ラジエータファンを前記放熱時の駆動方向に対し逆回転させ、前記ラジエータの放熱に伴って温められた温風を、前記アウターカバーの外表側へと送風するよう制御する
ことを特徴とする請求項１に記載の車両用前照灯の凍結防止装置。
【請求項４】
前記アウターカバー側の端部に配設される温風の吹出口が、
前記アウターカバーの外表側における前記車両の中央部側の側方または前記アウターカバーの下方の少なくとも一方に配置される
ことを特徴とする請求項１〜３のいずれか一項に記載の車両用前照灯の凍結防止装置。
【発明の詳細な説明】
【技術分野】
【０００１】
本発明は、車両用前照灯の凍結防止装置に関し、特に、ヘッドランプの凍結防止に好適なものである。
【背景技術】
【０００２】
近年、自動車等の車両に搭載される車両用前照灯（特に、ヘッドランプ）においては、ヘッドランプを構成するランプ本体内に配置される光源として、ＨＩＤランプ（Ｈｉｇｈ  Ｉｎｔｅｎｓｉｔｙ  Ｄｉｓｃｈａｒｇｅ  ｌａｍｐ）や、半導体型の発光素子であるＬＥＤ（Ｌｉｇｈｔ  Ｅｍｉｔｔｉｎｇ  Ｄｉｏｄｅ：発光ダイオード）等を用いるものが広く普及してきている。
【０００３】
このようなＨＩＤランプやＬＥＤは、従来のハロゲンランプと比較して、高輝度で視認性を向上しつつ、消費電力を大幅に低減することができるばかりか、点灯時における発熱量も低減できる上、長寿命で耐久性も優れている。
【０００４】
ところで、車両用前照灯では、従来から外気温が低い環境下における凍結を回避するための対策がなされている。特に、前述したような点灯時における発熱量が低い光源では、凍結防止対策の要望が高まっている。例えば、特許文献１の車両用前照灯では、ランプ本体（ランプボディ）の外周に当接して把持するステーを中空に形成し、当該ステー内を通水路として利用し、ラジエータ等の熱交換器にて使用する熱交換媒体を流通させるようにしていた。これにより、ステー内を熱交換媒体が流通するので、ヘッドランプに氷雪等が付着するのを好適に抑制することができる。
【先行技術文献】
【特許文献】
【０００５】
【特許文献１】特開２００５−１２９２９４号公報
【発明の概要】
【発明が解決しようとする課題】
【０００６】
しかしながら、かかる特許文献１に記載の車両用前照灯では、特許文献の図２、図３の断面図に示されるように、導風ダクト２７、第１流路２９がランプ本体に当接して、ランプ本体を迂回するようにしてランプ本体の前面に配置されるアウターレンズ側に温風が導かれるため、すなわち、アウターレンズに対して直接的に温風が導かれるように配置されないため、当該アウターレンズの表面（外面）に付着する氷雪を迅速に溶かすことができず、凍結防止の効果が十分に得られない虞があった。
特に、近年のＨＩＤランプやＬＥＤでは、点灯時における発熱量が低く、ランプ本体内からの放熱量も少ないため、アウターレンズをランプ本体内から温める効果が得られず、凍結防止効果の低下が顕著である。
【０００７】
そこで、本発明は上述した事情に鑑みてなされたもので、外気温が低い環境下における車両用前照灯の凍結を効果的に防止することができる車両用前照灯の凍結防止装置を提供することを目的とする。
【課題を解決するための手段】
【０００８】
（１）本発明の少なくとも一実施形態に係る車両用前照灯の凍結防止装置は、車両の前部に配置され、光源が発する光を車両前方に向かって出射させる車両用前照灯の凍結防止装置であって、
前記車両用前照灯は、前記光源を収容し、前面が開口されたランプ本体と、前記ランプ本体の開口を覆うように前記ランプ本体の前面に配置されるアウターカバーと、を含むランプユニットを有しており、前記車両の外気温を検知する外気温検知手段と、前記車両の速度を検知する速度検知手段と、前記外気温検知手段および前記速度検知手段による検知結果に基づいて、前記車両に搭載され熱を発生する熱交換機器を制御する制御手段と、を備え、前記熱交換機器は、放熱時に用いられる風を送る送風手段を備え、前記制御手段は、前記外気温検知手段による検知結果が所定値以下であって、前記速度検知手段により前記車両の停止を検知した場合、前記送風手段を放熱時の駆動方向とは逆方向となるように切り換え、熱交換機器の放熱に伴って温められた温風を、前記アウターカバーの外表側へと送風させることを特徴とする。
【０００９】
前記（１）の構成によれば、外気温検知手段および前記速度検知手段による検知結果に基づいて、車両に搭載され熱を発生する熱交換機器を制御する制御手段を備え、前記熱交換機器は、放熱時に用いられる風を送る送風手段を備えている。
そして、制御手段は、外気温検知手段による検知結果が所定値以下であって、速度検知手段により車両の停止を検知した場合、送風手段を放熱時の駆動方向とは逆方向となるように切り換え、熱交換機器の放熱に伴って温められた温風を、アウターカバーの外表側へと送風させる。これにより、アウターカバーの外表側に付着する氷雪を効果的に融解させることができる。
このように、外気温が低い環境下における車両用前照灯の凍結を効果的に防止することができる車両用前照灯の凍結防止装置を実現できる。
【００１０】
（２）幾つかの実施形態では、前記（１）の構成において、
前記熱交換機器が、車両空調ユニットのコンデンサであり、前記送風手段が該コンデンサの熱を放出するためのコンデンサファンであり、前記制御手段は、前記外気温検知手段による検知結果が所定値以下であって、前記速度検知手段により前記車両の停止を検知した場合、前記コンデンサファンを前記放熱時の駆動方向に対し逆回転させ、前記コンデンサの放熱に伴って温められた温風を、前記通路を介して前記アウターカバーの外表側へと送風するよう制御することを特徴とする。
【００１１】
前記（２）の構成によれば、車両に搭載され熱を発生する熱交換機器が、車両空調ユニットのコンデンサであり、送風手段が該コンデンサの熱を放出するためのコンデンサファンであるので、熱を発生する熱交換機器として新たな機器を追加する必要がない。よって、エンジンルーム内のスペースを狭めることなく、既存の空調ユニットを有効活用して、コストの増加を回避できる。
【００１２】
（３）幾つかの実施形態では、前記（１）の構成において、
前記熱交換機器が、ラジエータユニットのラジエータであり、前記送風手段が該ラジエータの熱を放出するためのラジエータファンであり、前記制御手段は、前記外気温検知手段による検知結果が所定値以下であって、前記速度検知手段により前記車両の停止を検知した場合、前記ラジエータファンを前記放熱時の駆動方向に対し逆回転させ、前記ラジエータの放熱に伴って温められた温風を、前記通路を介して前記アウターカバーの外表側へと送風するよう制御することを特徴とする。
【００１３】
前記（３）の構成によれば、車両に搭載された熱を発生する熱交換機器が、ラジエータユニットのラジエータであり、送風手段が該ラジエータの熱を放出するためのラジエータファンであるので、熱を発生する機器として新たな機器を追加する必要がない。よって、エンジンルーム内のスペースを狭めることなく、既存のラジエータユニットを有効活用して、コストの増加を回避できる。
【００１４】
（４）幾つかの実施形態では、前記（１）〜（３）のいずれかの構成において、前記アウターカバー側の端部に配設される温風の吹出口が、前記アウターカバーの外表側における前記車両の中央部側の側方または前記アウターカバーの下方の少なくとも一方に配置されることを特徴とする。
【００１５】
前記（４）の構成によれば、前記アウターカバー側の端部に配設される温風の吹出口が、
前記アウターカバーの外表側における前記車両の中央部側の側方または前記アウターカバーの下方の少なくとも一方に配置されるので、機器の放熱に伴って温められた温風を、アウターカバーの外表側へと均一に送風でき、アウターカバーの外表側に付着する氷雪をより効果的に融解させることができる。しかも、外見上、吹出口が目立つのを未然に回避し、外観的な見栄えを損なうことなく、良好に保つことができる。
【発明の効果】
【００１６】
本発明の少なくとも一実施形態によれば、外気温が低い環境下における車両用前照灯の凍結を効果的に防止することができる。
【図面の簡単な説明】
【００１７】
【図１】本発明の実施形態に係る車両用前照灯の凍結防止装置を備えた車両の前部を示す模式図である。
【図２】第一実施形態に係る車両用前照灯の凍結防止装置の構成を示す概念図である。
【図３】第一実施形態に係る車両用前照灯の凍結防止装置においてアウターカバーにおける側方からの吹出しの説明に供する概念図である。
【図４】第一実施形態に係る車両用前照灯の凍結防止装置においてアウターカバーにおける下方からの吹出しの説明に供する概念図である。
【図５】図２のコンデンサファンを含む空調ユニットを示す概念図である。
【図６】第二実施形態に係る車両用前照灯の凍結防止装置の構成を示す概念図である。
【図７】第二実施形態に係る車両用前照灯の凍結防止装置においてアウターカバーにおける側方からの吹出しの説明に供する概念図である。
【図８】第二実施形態に係る車両用前照灯の凍結防止装置においてアウターカバーにおける下方からの吹出しの説明に供する概念図である。
【発明を実施するための形態】
【００１８】
以下、本発明の実施形態について図面を用いて詳細に説明する。なお、以下の実施形態に記載されている構成部品の形状や、その相対配置などは特に特定的な記載がない限り、この発明の範囲をそれのみに限定する趣旨ではなく、単なる説明例にすぎない。また、以下の説明において、前後，左右，上下と示す方向は、特に説明のない限り、車体の前後方向，車幅方向，車体の上下（天地）方向を意味することとする。
【００１９】
＜車両について＞
図１は、本発明の実施形態に係る車両用前照灯の凍結防止装置を搭載する車両Ｃを車幅方向左側から斜視して示す模式図である。図１に示すように、車両Ｃは、車両の前部（前面）の中央部にフロントグリル９を備え、当該フロントグリル９を挟んだ左右両側部に、それぞれ車両用前照灯としてのヘッドランプ１が設けられている。ここでは、便宜上、左側のヘッドランプ１のみ示すが、右側にも構造が左右反転したヘッドランプが同様に設けられているものとする。
【００２０】
また、車両Ｃにおけるヘッドランプ１の上方には、エンジンフード７（所謂、ボンネット）が車両前後方向に延在して設けられ、ヘッドランプ１の下方には、フロントバンパ８が車幅方向に延在して設けられている。さらに、フロントグリル９の車幅方向側部（すなわち、ヘッドランプ１と対向する側部）には、後述する吹出口９１が設けられ、フロントバンパ８のヘッドランプ１の下方に位置する部位には、後述する吹出口８１が設けられている。
【００２１】
＜車両用前照灯の凍結防止装置について＞
＜第一実施形態＞
次に、前述の車両Ｃに搭載される車両用前照灯の凍結防止装置について説明する。図２に示すように、本実施形態に係る車両用前照灯の凍結防止装置は、車両Ｃの外気温を検知する外気温検知手段としての外気温検知センサ３０と、車両Ｃの速度を検知する速度検知手段としての車速検知センサ３１と、を有している。また、この凍結防止装置は、外気温検知センサ３０および車速検知センサ３１による検知結果に基づいて、車両Ｃの前部に搭載された熱を発生する機器としての空調ユニット１００（より具体的には、後述のコンデンサファン１１０）を制御する制御手段としての制御部３２、を備えている。なお、外気温検知センサ３０および車速検知センサ３１は、それぞれ車両Ｃに搭載される空調装置の外気温検知手段（不図示）および車速検知手段（不図示）を流用することも可能である。
【００２２】
ここで、ヘッドランプ１は、図３および図４に示すように、前面が開口したランプ本体２と、当該ランプ本体２の前面開口を覆う無色透明のアウターカバー３とを備えており、これらランプ本体２とアウターカバー３とによって灯室１０が画設されている。この灯室１０内には、半導体光源であるＬＥＤ（Ｌｉｇｈｔ  Ｅｍｉｔｔｉｎｇ  Ｄｉｏｄｅ：発光ダイオード）４と、投影レンズとしてのインナーレンズ５と、灯室１０内を化粧するエクステンションリフレクタ６と、が収容されている。
【００２３】
ＬＥＤ４は、基板４１の前面に実装された状態で、当該基板４１を介してランプ本体２の底面の正面視略中央部に固定されている。このＬＥＤ４は、前後方向に沿った光軸Ａｘを有しており、当該光軸Ａｘを中心に前方へ略放射状に白色光を出射させる。
具体的にＬＥＤ４は、半導体発光素子と、当該半導体発光素子の前面に配設された蛍光体と（何れも図示せず）を有する公知のものである。当該ＬＥＤ４では、半導体発光素子から蛍光体の励起光としての青色光が出射され、この青色光が例えばＹＡＧ（Ｙ3Ａｌ5Ｏ12：Ｃｅ３＋）からなる蛍光体を励起して当該蛍光体から黄色光が出射される結果、これら青色光と黄色光とが混合（混色）されて白色光が出射される。また、ＬＥＤ４が実装された基板４１は２つの固定ネジ４２，４２によってランプ本体２の底面に固定されており、ＬＥＤ４からの発熱が当該基板４１を介してランプ本体２に伝わり、ランプ本体２の後面に設けられた複数の放熱フィン２１，…から放散されるようになっている。
【００２４】
インナーレンズ５は、凹面状の入射面（後面）と凸面状の出射面（前面）とを有する非球面凸レンズであり、エクステンションリフレクタ６の開口から出射面を前方に露出させた状態でＬＥＤ４の前方に配置されている。このインナーレンズ５は、ＬＥＤ４の近傍に位置する焦点を有しており、当該ＬＥＤ４から出射された光を前方へ照射する。具体的に、インナーレンズ５は、無色の透光材料で形成されており、ＬＥＤ４から出射された白色光を前方へ照射させて配光制御を行うものである。
【００２５】
エクステンションリフレクタ６は、非透光性の樹脂基材からなるリフレクタ兼エクステンションの機能を果たす部品であり、前方側表面にアルミ蒸着等により形成された反射面６１を有してなる。このエクステンションリフレクタ６は、灯室１０内におけるインナーレンズ５の周囲に位置するランプ本体２前方の開口内部を覆うように配設され、当該灯室１０内を化粧するようになっている。
【００２６】
アウターカバー３は、例えば、ガラス，樹脂材料等の無色透明または半透明の透光性部材からなる素通し状のカバーであり、ランプ本体２前方の開口した前面全体を覆うように配設されている。また、アウターカバー３およびランプ本体２は、それぞれの周縁部で互いに固定されている。
なお、ここでは、ヘッドランプ１の外観、すなわちアウターカバー３と、ランプ本体２の前面開口が、いずれも正面視矩形状に形成されている場合について図示するが、一例であってこれに限らず、その形状は、この他種々（例えば、円形状や楕円形状）の形状を広く適用することができる。また、アウターカバー３は、レンズとして構成されていても良い。
【００２７】
このように構成されたヘッドランプ１の車両中央側（すなわち、フロントグリル９側）の側部には、図１および図３に示すように、コンデンサファン１１０（図２の空調ユニット１００に含まれ、詳細は後述する）とアウターカバー３との間に設けられる通路１１３の吹出口９１が配置されている。この通路１１３は、コンデンサファン１１０およびアウターカバー３の外表側を連通し、コンデンサ１０２の放熱に用いられる風の一部を外部から取り入れて流通するためのものである。
【００２８】
また、図１および図４に示すように、フロントバンパ８の内側（エンジンルーム側）には、コンデンサファン１１０とアウターカバー３との間に設けられる通路１１４が配置され、ヘッドランプ１の下方に位置するフロントバンパ８の上面側には、通路１１４の吹出口８１が配置されている。この通路１１４は、コンデンサファン１１０およびアウターカバー３の外表側を連通し、コンデンサ１０２の放熱に用いられる風の一部を外部から取り入れて流通するためのものである。
【００２９】
次に空調ユニット１００について説明する。図４に示すように、空調ユニット１００は、冷媒を圧縮する圧縮機としてのコンプレッサ１０１と、コンプレッサ１０１にて圧縮された冷媒を外気と熱交換させて熱を放出させる凝縮器としてのコンデンサ１０２と、コンデンサ１０２にて冷却された冷媒を車両Ｃの車室（不図示）内の空気と熱交換させて当該車室内の空気を冷却する蒸発器としてのエバポレータ１０３と、に大別される。
【００３０】
エバポレータ１０３は、エバポレータファン（不図示）、温度センサ１０７および膨張弁１０８等を有して構成される。エバポレータ１０３は、コンデンサ１０２から高温・高圧配管１０４と膨張弁１０８とを介して送られてくる冷媒を、車室内の空気と熱交換させることで、冷媒を蒸発させると共に空気を冷却する。
【００３１】
このとき、膨張弁１０８は、コンデンサ１０２にて冷却された液状の冷媒を噴射させて減圧し、低温・低圧の霧状にすることで、液状の冷媒を気化（蒸発）し易い状態にする（冷媒の気化を促進する）。この後、冷媒は低圧・戻り配管１０５を介してコンプレッサ１０１へ戻される。不図示のエバポレータファンは、例えばターボファンからなり、不図示のエバポレータファンモータによって回転され、エバポレータ１０３で冷却された空気を車室内に送出する。
【００３２】
温度センサ１０７は、車室内の温度を検出し、検出温度に応じた信号を当該車室内の温度管理を制御するべく、不図示の空調制御部および空調駆動部へ送出する。なお、エバポレータ１０３には、冷媒配管としての高温・高圧配管１０４や低圧・戻り配管１０５と並列にホットガス配管１０６が設置されており、電磁弁１０９により冷媒配管の流れを切り替えることにより、車室内の空気を加温することも可能となっている。これは、冷房時、コンデンサ１０２を経由する高温・高圧配管１０４を使用し、暖房時、コンデンサ１０２を経由することなく、コンプレッサ１０１により圧縮され高温となったガスをエバポレータ１０３に直接送るホットガス配管１０６を使用することにより可能となる。
【００３３】
コンプレッサ１０１は、アキュムレータ（不図示）等を有して構成されている。アキュムレータは、冷媒の液溜まりとして機能し、気体状の冷媒をコンプレッサ１０１に戻すための要素である。コンプレッサ１０１は、気体状の冷媒を圧縮して高温高圧の気体とし、高温・高圧配管１０４を介してコンデンサ１０２へ送出する。または、ホットガス配管１０６を介してエバポレータ１０３へと送出する。
【００３４】
コンデンサ１０２は、コンデンサファン１１０，コンデンサファンモータ（不図示）、外部温度センサ（不図示）等を有して構成されている。コンデンサ１０２は、高温高圧の冷媒と外気とを熱交換させて冷媒を液体状にする。コンデンサファン１１０は、コンデンサファンモータ（不図示）によって回転され、コンデンサの内部空間から空気を吸い込んで外部に向かって放出する（図２の矢印で示す放熱方向を参照）。
【００３５】
コンデンサ１０２は、不図示のエンジンルーム内に配置されており、その前方に配置されたコンデンサファン１１０が車両Ｃの前方側から後方側に向けて風を送ることで、コンデンサ１０２を放熱させるようになっている（図５の矢印Ｅ方向）。つまり、コンデンサファン１１０は、車両前方から取り込まれた外気を、コンデンサ１０２へと送り、コンデンサ１０２の内部を通って車両後方に向けて排出させるように空気流を生じさせ、コンデンサ１０２との間で効率よく熱交換を行わせることが可能となっている。
【００３６】
そして、本実施形態のヘッドランプ１用の凍結防止装置では、制御部３２が、外気温検知センサ３０による検知結果が所定値以下であって、車速検知センサ３１により車両Ｃの停止を検知した場合、空調ユニット１００におけるコンデンサファン１１０の駆動状態を放熱時の駆動方向（すなわち、通常、空調ユニット１００を運転している際のコンデンサファン１１０が回転している方向）とは逆の方向となるように切り換え、コンデンサ１０２の放熱に伴って温められた温風を、通路１１３、１１４を介して吹出口９１や吹出口８１からアウターカバー３の外表側へと送風させる（図５の矢印Ｆ方向）。これにより、アウターカバー３の外表側に付着する氷雪を効果的に融解させることが可能となる。
なお、吹出口８１、９１は、少なくとも一方に設けられていればよい。
【００３７】
また、制御部３２による制御は、空調ユニット１００が一度作動した後において、空調ユニット１００が停止している状態で、外気温度及び車両の停止状態を条件として、コンデンサファン１１０の回転方向を制御するものである。
【００３８】
以上、説明したように、本実施形態のヘッドランプ１用の凍結防止装置によれば、車両Ｃの前部に搭載されたコンデンサファン１１０とアウターカバー３との間に、これらを連通し、コンデンサ１０２の放熱に用いられる風を流通するための通路１１３、１１４が設けられている。
【００３９】
そして、制御部３２は、外気温検知センサ３０による検知結果が所定値以下であって、車速検知センサ３１により車両Ｃの停止を検知した場合、コンデンサファン１１０の駆動状態を放熱時の駆動方向とは逆の方向となるように切り換え、コンデンサ１０２の放熱に伴って温められた温風を、通路１１３、１１４を介してアウターカバー３の外表側へと送風させる。これにより、アウターカバー３の外表側に付着する氷雪を効果的に融解させることができる。かくして、外気温が低い環境下におけるヘッドランプ１の凍結を効果的に防止することができる。
【００４０】
＜第二実施形態＞
次に、前述の車両Ｃに搭載されるヘッドランプ１の凍結防止装置の第二実施形態について説明する。図２との対応部分に同一符号を付した図６に示すように、本実施形態に係るヘッドランプ１の凍結防止装置は、車両Ｃの前部に搭載された熱を発生する機器としてラジエータユニット１２０を適用することを除き、前述した第一実施形態とほぼ同様に構成されるため、同様の構成に関する説明は省略する。
【００４１】
この場合、ヘッドランプ１は、図３および図４との対応部分に同一符号を付した図７および図８に示すように、前述した第一実施形態と同様に構成されており、その下方および側部には、前述した第一実施形態と同様に吹出口８１、９１が設けられている。なお、本実施形態では、凍結防止装置において、コンデンサファン１１０に替えてラジエータファン１２１が適用される点と、当該ラジエータファン１２１とアウターカバー３との間に設けられる通路１２３、１２４が異なる点を除き、前述した第一実施形態と同様に構成されている。
【００４２】
本実施形態の場合、機器としてのラジエータユニット１２０は、図７に示すように、フロントグリル９の後部に配置されるラジエータ１２２と、当該ラジエータ１２２の後部に配置されるラジエータファン１２１とを有し、これらがラジエータサポート１２５を介して車両Ｃに組み付けられている。
本実施形態の場合、ラジエータ１２２の前方であって、フロントグリル９内には、ラジエータファン１２１とアウターカバー３との間に設けられる通路１２３が配置されている。また、フロントバンパ８の内側（エンジンルーム側）には、同様に、ラジエータファン１２１とアウターカバー３との間に設けられる通路１２４が配置されている。この通路１２３、１２４は、ラジエータファン１２１およびアウターカバー３の外表側を連通し、ラジエータ１２２の放熱に用いられる風の一部を外部から取り入れて流通するためのものである。
【００４３】
そして、本実施形態のヘッドランプ１用の凍結防止装置では、制御部３２が、外気温検知センサ３０による検知結果が所定値以下であって、車速検知センサ３１により車両Ｃの停止を検知した場合、ラジエータファン１２１の駆動方向（回転方向）が、通常、ラジエータ１２２を冷却する（放熱させる）際に回転している方向とは逆の方向となるように切り換え、ラジエータ１２２の放熱に伴って温められた温風を、通路１２３、１２４を介して吹出口９１や吹出口８１からアウターカバー３の外表側へと送風させる。通常時は図７の矢印Ｇ方向に流れ、凍結防止の際は図７の矢印Ｈ方向に流れる。
これにより、アウターカバー３の外表側に付着する氷雪を効果的に融解させることが可能となる。なお、吹出口８１、９１は、少なくとも一方に設けられていればよい。
【００４４】
また、制御部３２による制御は、ラジエータユニット１２０が一度作動した後において、ラジエータユニット１２０の機能が停止している状態で、外気温度及び車両の停止状態を条件として、ラジエータファン１２１の回転方向を制御するものである。
【００４５】
以上、説明したように、本実施形態のヘッドランプ１用の凍結防止装置によれば、車両Ｃの前部に搭載されたラジエータファン１２１とアウターカバー３との間に、これらを連通し、ラジエータ１２２の放熱に用いられる風を流通するための通路１２３、１２４が設けられている。
そして、制御部３２は、外気温検知センサ３０による検知結果が所定値以下であって、車速検知センサ３１により車両Ｃの停止を検知した場合、ラジエータファン１２１の駆動状態を放熱時の駆動方向とは逆の方向となるように切り換え、ラジエータ１２２の放熱に伴って温められた温風を、通路１２３、１２４を介してアウターカバー３の外表側へと送風させる。
これにより、アウターカバー３の外表側に付着する氷雪を効果的に融解させることができる。これにより、外気温が低い環境下におけるヘッドランプ１の凍結を効果的に防止することができる。
【００４６】
また、図７に示すように、凍結防止の際は図７の矢印Ｈ方向に流れる。すなわち、エンジンルーム内側から外側に向かってラジエータ１２２を逆方向（矢印Ｈ方向）に通過して、ラジエータ１２２の放熱に伴って温められた温風を直接的に、すなわち、ランプ本体を迂回してランプ本体の前面側に温風を導くような配置構成ではないので、温風の温度低下が抑制される。その結果アウターレンズの表面に付着する氷雪を効率よく溶かすことが可能になる。
【００４７】
なお、上述した実施形態においては、車両Ｃとして、車両前面の中央部にフロントグリル９を備える場合について説明したが、本発明はこれに限ることはなく、フロントグリル９を備えず、エンジンフード７の前方側中央が車両前面まで延在するか、フロントバンパ８の中央が車両前面上方まで延在する、所謂グリルレスタイプの車両であってもよい。この場合、前述の吹出口９１は、エンジンフード７の車両前面まで延在する前方側中央部分の両側部、または、フロントバンパ８の車両前面上方まで延在する中央部分の両側部に設けられることとなる。
【００４８】
また、上述した実施形態においては、車両用前照灯であるヘッドランプ１の光源として、ＬＥＤ４を適用した場合について説明したが、本発明はこれに限ることはなく、光源としては、ＨＩＤランプやハロゲンランプ等の光源を広く適用できる。
【００４９】
さらに、車両の前部に搭載された熱を発生する機器としては、空調ユニット１００のコンデンサ１０２を放熱させるためのコンデンサファン１１０や、ラジエータ１２２を放熱させるためのラジエータファン１２１に限らず、この他、種々の機器を広く適用できる。
【産業上の利用可能性】
【００５０】
本発明によれば、外気温が低い環境下における車両用前照灯の凍結を効果的に防止することができるので、車両の前部に配置され、光源が発する光を車両前方に向かって出射させる車両用前照灯を搭載する車両全般への利用に適している。
【符号の説明】
【００５１】
１  ヘッドランプ
２  ランプ本体
３  アウターカバー
４  ＬＥＤ（光源）
７  エンジンフード
８  フロントバンパ
８１  吹出口（アウターカバーの下方の吹出口）
９  フロントグリル
９１  吹出口（アウターカバーの外表側における車両の中央部側の側方の吹出口）
１００  空調ユニット
１０２  コンデンサ（熱交換機器）
１１０  コンデンサファン
１１３、１１４  通路
１２０  ラジエータユニット
１２１  ラジエータファン
１２２  ラジエータ（熱交換機器）
１２３、１２４  通路
Ｃ  車両
【図１】
2018100011.tif 000003
【図２】
2018100011.tif 000004
【図３】
2018100011.tif 000005
【図４】
2018100011.tif 000006
【図５】
2018100011.tif 000007
【図６】
2018100011.tif 000008
【図７】
2018100011.tif 000009
【図８】
2018100011.tif 000010